(57)【要約】【課題】酸化等に強くて操作入力の検知精度が低下することを防止できるようにする。【解決手段】トッププレート１６にはユーザーの手指が入力操作のために近接する操作部３０が形成されている。この操作部３０は、第１の導電体３０ａと、この第１の導電体３０ａの下面側には電気絶縁層４２を間において該第１の導電体３０ａと対向する第２の導電体３０ｂとから構成されている。電気絶縁層４２には、第２の導電体３０ｂと電気的に接続されて前記ユーザーの入力操作の有無を検知して加熱手段を制御する制御部４８が設けられている。【選択図】図１
2010121820.tif 000002
【特許請求の範囲】
【請求項１】
上面の開口部にトッププレートを備えると共に、このトッププレートの下方に加熱手段を備えた調理器本体と、
前記トッププレートに形成されユーザーの手指が入力操作のために近接するものであって、前記トッププレートの下面に設けられた第１の導電体と、この第１の導電体の下面側に設けられた電気絶縁層と、この電気絶縁層を間において該第１の導電体と対向して設けられた第２の導電体とで構成された操作部と、
前記第２の導電体と電気的に接続されて前記ユーザーの入力操作の有無を検知して前記加熱手段を制御する制御部と、
を備えたことを特徴とする加熱調理器。
【請求項２】
前記第１の導電体は、前記トッププレートの下面に一体に設け、前記第２の導電体は前記電気絶縁層に一体に設け、該電気絶縁層を前記第２の導電体が前記第１の導電体と対向するように配置したことを特徴とする請求項１に記載の加熱調理器。
【請求項３】
前記第１の導電体と前記電気絶縁層とを前記トッププレートの下面に一体に設け、前記第２の導電体を前記第１の導電体に対向して配置したことを特徴とする請求項１に記載の加熱調理器。
【請求項４】
前記第１の導電体と、前記電気絶縁層と、第２の導電体とを一体化して前記操作部を構成したことを特徴とする請求項１に記載の加熱調理器。
【請求項５】
前記操作部は、相互に手指による同時操作が可能な配置間隔で設けられていることを特徴とする請求項１ないし４のいずれかに記載の加熱調理器。
【請求項６】
前記第２の導電体が前記制御部と電気的に直接接続されていることを特徴とする請求項１ないし５のいずれかに記載の加熱調理器。
【請求項７】
前記電気絶縁層は、前記制御部を搭載し、前記第２の導電体が該制御部と電気的に直接接続されていることを特徴とする請求項１ないし５のいずれかに記載の加熱調理器。
【請求項８】
前記電気絶縁層には、前記第２の導電体が複数設けられていることを特徴とする請求項６又は７に記載の加熱調理器。
【請求項９】
前記電気絶縁層は、一端側で前記第１の導電体と接触し、途中部が前記トッププレートと離間するように曲がる形状をなし、他端側に前記制御部が設けられていることを特徴とする請求項７又は８に記載の加熱調理器。
【請求項１０】
前記電気絶縁層はフレキシブル基板で構成されることを特徴とする請求項６ないし９のいずれかに記載の加熱調理器。
【請求項１１】
前記制御部は、前記調理器本体の開口部内の前部に前記トッププレートに対して略垂直状態に設けられることを特徴とする請求項１０に記載の加熱調理器。
【請求項１２】
前記トッププレートの裏面には非導電性層が形成され、この非導電性層の裏面に前記第１の導電体が設けられていることを特徴とする請求項１ないし１1のいずれかに記載の加熱調理器。
【発明の詳細な説明】
【技術分野】
【０００１】
本発明は、トッププレートに操作部を備えた加熱調理器に関する。
【背景技術】
【０００２】
従来、この種の加熱調理器として、特許文献１に記載の加熱調理器がある。この加熱調理器における操作部１０１の構成を図８に示す。トッププレート１０２の上面には、塗装膜によりタッチ表示部１０３を形成し、トッププレート１０２の下面に基板１０４を配設している。この基板１０４の上面に前記タッチ部１０３と対向するように操作部である検知電極１０５を形成し、また、該基板１０４における下面にスルーホール１０６を介して前記検知電極１０５と導通する接続導体１０７を形成し、該接続導体１０７が図示しない制御部に接続される構成としている。
【０００３】
この構成では、ユーザーが手指を前記タッチ表示部１０３に接触させると、検知電極１０５部分に微弱電流が流れ、これを図示しない制御部で検出して入力操作有りを検出するようにしている。
【特許文献１】特開２００８−５７８７２号公報
【発明の開示】
【発明が解決しようとする課題】
【０００４】
加熱調理器は、キッチン等に設置されるものであり、水濡れや酸化などが発生しやすいことを考慮する必要がある。このような観点からすると、上記従来の加熱調理器では、人体と前記検知電極１０５との間に発生する微弱電流を検出する方式であるため、検知電極１０５が酸化したり、前記スルーホールが酸化したりすると、微弱電流レベルが測定不可能なレベルに落ちたり、あるいは、微弱電流が流れなかったりして操作入力の検知精度が悪くなったりする不具合がある。
【０００５】
本発明は上述の事情に鑑みてなされたものであり、その目的は、酸化等に強くて操作入力の検知精度が低下することを防止できる加熱調理器を提供することにある。
【課題を解決するための手段】
【０００６】
請求項１の発明は、上面の開口部にトッププレートを備えると共に、このトッププレートの下方に加熱手段を備えた調理器本体と、
前記トッププレートに形成されユーザーの手指が入力操作のために近接するものであって、前記トッププレートの下面に設けられた第１の導電体と、この第１の導電体の下面側に設けられた電気絶縁層と、この電気絶縁層を間において該第１の導電体と対向して設けられた第２の導電体とで構成された操作部と、この第２の導電体と電気的に接続されて前記ユーザーの入力操作の有無を検知する制御部とを備えたところに特徴を有する。
【０００７】
この請求項１の発明においては、第１の導電体と第２の導電体との間に電気絶縁層が存在することで静電結合されており、操作部にユーザーの手指が近接すると、静電容量が変化し、その変化を制御部が検知して前記ユーザーの入力操作の有無を検知する。
そして、第１の導電体及び第２の導電体が酸化するようなことがあっても、これら導電体間の静電容量が変化することがないので、操作入力の検知精度が低下することを防止できる。
【発明の効果】
【０００８】
本発明によれば、酸化等に強くて操作入力の検知精度が低下することを防止できる。
【発明を実施するための最良の形態】
【０００９】
以下、本発明をシステムキッチンに組み込まれる加熱調理器に適用した第１の実施例を図１〜図６を参照しながら説明する。図２には、キッチンキャビネット１に、加熱調理器２が組み込まれた状態の外観斜視図が示されている。また、図３は、トッププレートを外した状態で示す調理器本体３の平面図である。加熱調理器２の調理器本体３は、キャビネット１に設けられた開口４に落とし込み状態に組み込まれている。この調理器本体３の下部には、図２に示すロースタ部５が設けられている。
【００１０】
前記調理器本体３は、図３に示すように、上面が開口しており、内部の手前側に加熱手段としての二つの誘導加熱コイル８、９が設けられ、また中央奥部に別の加熱手段として例えばラジエントヒータからなるヒータ１０が設けられている。また、この調理器本体３内には、主回路基板１１が配設されており、この主回路基板１１には、多数の加熱強度表示用の発光ダイオードからなる表示器群１２Ａ、１２Ｂが実装されていると共に、例えば蛍光表示管からなる表示器１３、１４Ａ、１４Ｂ、１５Ａ、１５Ｂが実装されている。
【００１１】
図１及び図３に示すように、前記調理器本体３の開口部３ａの周縁部にはフランジ部３ｂが設けられており、このフランジ部３ｂが前記キャビネット１の開口４の縁部に配置されている。
【００１２】
さらに、図１、図２、図４に示すように、前記調理器本体３の上面には、開口部３ａを覆うように、つまり前記誘導加熱コイル８、９及びヒータ１０を上方から覆うように、耐熱ガラス製の透視可能なトッププレート１６が設けられている。このトッププレート１６の下面は非導電性のスパッタにより半透明層１６Ａ（図１参照）が形成されており、さらにこの半透明層１６Ａ下面には不透明な非導電性の塗装膜１６Ｂ（図１参照）が形成されており、内部が見えないようにしている。
【００１３】
このトッププレート１６の周縁部１６ａは調理器本体３より外側（前後方向及び左右方向）へ張り出しており、前記フランジ部３ｂにより支えられている。
このトッププレート１６において、左右の誘導加熱コイル８、９及びヒータ１０の上方に対応する部位はそれぞれ円形模様の調理器載置表示部１７、１８、１９が形成されている。
【００１４】
図４は以下に述べる表示部から光が放出されて各表示部が浮かび上がったように光表示されている状態を示している。
前記トッププレート１６の裏面において、調理器載置表示部１７、１８の前側には、前記表示器群１２Ａ、１２Ｂの上方に位置して調理条件表示部１２ＡＨ、１２ＢＨ（図４参照）が前記塗装膜１６Ｂに形成された抜き孔により設けられ、又、表示器１３、１４Ａ、１４Ｂ、１５Ａ、１５Ｂの上方に位置して表示内容が異なる調理条件表示部１３Ｈ、１４ＡＨ、１４ＢＨ、１５ＡＨ、１５ＢＨが前記塗装膜１６Ｂに形成された抜き孔により設けられている。なお、これら、各調理条件表示部１２ＡＨ、１２ＢＨ、１３Ｈ、１４ＡＨ、１４ＢＨ、１５ＡＨ、１５ＢＨは、それぞれ対応する表示器によって下方から照明表示されることにより、半透明層１６Ａと透視可能なトッププレート１６とを通して該トッププレート１６上面から図４に示すように目視できる。
【００１５】
また、図１及び図４に示すように、このトッププレート１６の前縁部（調理器本体３より前方へ張り出した部分）の下面には、入力案内用表示部２０ＡＨ〜２７ＡＨ、２０ＢＨ〜２７ＢＨが前記塗装膜１６Ｂに形成された抜き孔により設けられている。これら入力案内用表示部２０ＡＨ〜２７ＡＨ、２０ＢＨ〜２７ＢＨは、後述する発光体４５からの発光により浮かび上がるように光表示される（図４参照）。なお、後述する発光体４５が消灯しているときには、トッププレート１６上面から内部はほぼ見えない状態（いわゆるブラックアウト状態）となる。
【００１６】
前記右側の入力案内用表示部２０ＡＨ〜２７ＡＨと、左側の入力案内用表示部２０ＢＨ〜２７ＢＨとは、それぞれ基本的に同じ構成であり、また、右側の入力案内用表示部２０ＡＨ〜２７ＡＨ下方部、及び左側の入力案内用表示部２０ＢＨ〜２７ＢＨ下方部に設けられた操作部などの構成についても、基本的に同じであるので、右側の入力案内用表示部２０ＡＨ〜２７ＡＨ下方部の操作部などについて以下説明する。
【００１７】
入力案内用表示部２０ＡＨは加熱調理のスタート／切り用、入力案内用表示部２１ＡＨはメニュー選択用、入力案内用表示部２２ＡＨは加熱強度や加熱時間のアップ設定用、入力案内用表示部２３ＡＨは加熱強度や加熱時間のダウン設定用、入力案内用表示部２４ＡＨ〜２７ＡＨは加熱強度設定用である。
なお、例えば入力案内用表示部２２ＡＨ及び操作部３０部分の断面を示す図１からわかるように、当該入力案内用表示部２２ＡＨの「＜」なる図形状をなすが、前記塗装膜１６Ｂの抜き孔によって形成されている。
【００１８】
さらにこれら入力案内用表示部２０ＡＨ〜２７ＡＨ下方には、図５に示すように、操作部２８〜４１が設けられている。
操作部２８〜４１は、図５に示す第１の導電体２８ａ〜４１ａと、図６に示す第２の導電体２８ｂ〜４１ｂと、これらの間に介在する図１及び図６に示す電気絶縁層４２とから構成されている。
【００１９】
図５では、前記第１の導電体２８ａ〜４１ａを平面的に示している。前記第１の導電体２８ａ〜３１ａは、前記塗装膜１６Ｂの下面に前記入力案内用表示部２０ＡＨ〜２３ＡＨに対応して形成されており、この場合、導電塗料を印刷し焼き付けて形成されている。
又、他の第１の導電体３２ａ〜４１ａは、前記塗装膜１６Ｂの下面に前記入力案内用表示部２４ＡＨ〜２７ＡＨに対応して形成されており、この場合も、導電塗料を印刷し焼き付けて形成されている。この第１の導電体３２ａ〜４１ａは、相互に手指による同時操作が可能な配置間隔で設けられている。
【００２０】
これら第１の導電体２８ａ〜４１ａは上述したようにトッププレート１６に一体に設けられている。
これら第１の導電体２８ａ〜４１ａには図５に示すように、対応する入力案内用表示部２０ＡＨ〜２７ＡＨの文字や図形と対向する部分に、当該文字や図形を、透光可能とするために若干大きめの抜き孔２８ａｄ〜４１ａｄが形成されている。例えば、例えば入力案内用表示部２２ＡＨ及び操作部３０部分の断面を示す図１からわかるように、第１の導電体３０ａには、「＜」形状を示す当該入力案内用表示部２２ＡＨに対応して、若干大きめの略「＜」状をなす抜き孔３０ａｄが形成されている。
【００２１】
前記電気絶縁層４２は、図１に示すように、フレキシブル基板４３の可撓性ある基板本体を構成しており、透光可能な材料から構成され、もって透光性を有する。この電気絶縁層４２の下面に図１及び図６に示すように前記第２の導電体２８ｂ〜４１ｂが設けられている。この第２の導電体２８ｂ〜４１ｂは、銅薄膜からなり、該電気絶縁層４２に貼り付けられて一体に設けられている。
【００２２】
この場合、各第２の導電体２８ｂ〜４１ｂには接続導体２８ｂｃ〜４１ｂｃが後方へ一体に導出されている。
各第２の導電体２８ｂ〜４１ｂには図６に示すように、抜き孔２８ｂｄ〜４１ｂｄが形成されており、この抜き孔２８ｂｄ〜４１ｂｄは、第１の導電体２８ａ〜４１ａの抜き孔２８ａｄ〜４１ａｄに対向してやや大きめに形成されている。
【００２３】
従って、前記操作部２８〜４１においては、第１の導電体２８ａ〜４１ａが抜き孔２８ａｄ〜４１ａｄを有し、前記電気絶縁層４２が透光可能な材料から構成され、第２の導電体２８ｂ〜４１ｂが抜き孔２８ｂｄ〜４１ｂｄを有することで、図１に示す光透過部４４が設けられている。
【００２４】
図１において、前記第２の導電体２８ｂ〜４１ｂの下部には、発光体４５が設けられており、この発光体４５は前記フランジ部３ｂにより支持されている。また、この発光体４５は、導光部たる導光部材４６と、後述する光源たる例えばＬＥＤ４７とで構成されており、この発光体４５は、各操作部２８〜４１の光透過部４４に対応して設けられている。
【００２５】
前記導光部材４６は光導光可能な材料から構成されており、この導光部材４６は、一端側が前記各操作部２８〜４１の下側で且つ前記フランジ３ｂ上側に位置し、途中部から他端部が開口部３ａ内の前側部分を下方向へ屈曲されて垂下されている。この導光部材４６における前記操作部２８〜４１対向部には、薄板状の光拡散板４６ａが形成されている。
【００２６】
前記フレキシブル基板４３は、前記導光部材４６上面から垂下部４６ｂに沿って設けられており、従って、該フレキシブル基板４３はトッププレート１６に対してほぼ垂直状に離間している。
【００２７】
また、このフレキシブル基板４３には制御手段たる制御部４８が前記トッププレート１６に対して略垂直状態に実装されており、この制御部４８には前記各第２の導電体２８ｂ〜４１ｂの前記接続導体２８ｂｄ〜４１ｂｄが接続されており、もって、各第２の導電体２８ｂ〜４１ｂが一体の接続導体２８ｂｄ〜４１ｂｄを介して直接制御部４８に接続されている。この制御部４８は前記操作部２８〜４１におけるユーザーの入力操作（ユーザーの手指が入力操作のために近接したこと）が有ったときには、各操作部２８〜４１の第１の導電体２８ａ〜４１ａと第２の導電体２８ｂ〜４１ｂとの間の静電容量の変化を検出することにより、前記入力操作の有無を検知し、そして前記誘導加熱コイル８、９及びヒータ１０を制御するものである。
【００２８】
前記フレキシブル基板４３の電気絶縁層４２には、光源であるＬＥＤ４７が前記導光部材４６の端部４６ｃ近傍に実装されており、従って、該ＬＥＤ４７は、導光部材４６の垂下する端に位置している。このＬＥＤ４７は制御部４８より第１の導電体２８ａ〜４１ａ側に設けられている。
【００２９】
このＬＥＤ４７は各操作部２８〜４１が入力操作されると制御部４８により点灯制御される。このＬＥＤ４７は、各入力案内用表示部にそれぞれ対応して必要数が設けられている。図１において、ＬＥＤ４７が点灯されると、その光は、導光部材４６を通り、光拡散板４６ａから拡散され、さらに、第２の導電体３０ｂの抜き孔３０ｂｄ、透光可能な電気絶縁層４２、第１の導電体３０ａの抜き孔３０ａｄ、入力案内用表示部２２ＡＨ、半透明層１６Ａ、トッププレート１６を通して外部に放出される。これにより、入力案内用表示部２２ＡＨの「＜」が光表示される。この光表示作用は他の入力案内用表示部についても同様である。
【００３０】
このような本実施例においては、各操作部２８〜４１における第１の導電体２８ａ〜４１ａと第２の導電体２８ｂ〜４１ｂとの間に電気絶縁層４２が存在することで静電結合されており、入力案内用表示部２０ＡＨ〜２７ＡＨ下方の操作部２８〜４１にユーザーの手指が近接すると、静電容量が変化し、その変化を制御部４８が検知して前記ユーザーの操作入力の有無を検知する。
【００３１】
そして、本実施例によれば、第１の導電体２８ａ〜４１ａ及び第２の導電体２８ｂ〜４１ｂが酸化するようなことがあっても、これら導電体間の静電容量が変化することがないので、操作入力の検知精度が低下することを防止できる。
【００３２】
また本実施例によれば、第１の導電体２８ａ〜４１ａを、トッププレート１６の下面に一体に設け、第２の導電体２８ｂ〜４１ｂを電気絶縁層４２に一体に設け、該電気絶縁層４２をその前記第２の導電体２８ｂ〜４１ｂが前記第１の導電体２８ａ〜４１ａと対向するように配置したから、部品数を少なくできて、組み立ての簡単化及びコストの低廉化に寄与でき、且つ、操作入力の検知精度の信頼性向上を図ることができる。
【００３３】
また、本実施例によれば、操作部２８〜４１を、相互に手指による同時操作が可能な配置間隔で設けている。このような配置では、操作部２８〜４１が狭い間隔で多数設けられる構成となるが、上述したように、操作入力の検知精度を保障できるから同時操作入力の確実に検知できる。
【００３４】
また、本実施例によれば、操作部２８〜４１の第２の導電体２８ｂ〜４１ｂが接続導体２８ｂｃ〜４１ｂｃにより制御部４８と電気的に直接接続されているから、操作部がコネクタや接続ばねを介して制御部に接続された構成に比べて、構成が簡単でコスト安となり、且つ電気的な信頼性が向上する。
【００３５】
また本実施例によれば、電気絶縁層４２が制御部４８を搭載し、第２の導電体２８ｂ〜４１ｂが該制御部４８と電気的に直接接続されているから、電気絶縁層４２が基板を兼用でき、構成の簡単化及びコストの低廉化を図ることができる。
【００３６】
この場合、本実施例によれば、前記電気絶縁層４２には、前記第２の導電体２８ｂ〜４１ｂが複数設けられているから、つまり、一つの電気絶縁層４２に対して複数の第２の導電体２８ｂ〜４１ｂを設けているから、配線構成を簡素化できる。
【００３７】
また、本実施例によれば、電気絶縁層４２が、一端側で前記第１の導電体２８ａ〜４１ａと接触し、途中部がトッププレート１６と離間するように曲がる形状をなし、他端側に制御部４８が設けられているから、第２の導電体２８ｂ〜４１ｂが接続される前記制御部４８を、加熱されるトッププレート１６から離間させることができ、且つ、トッププレート１６から離れた部分であるから、制御部４８の配置場所の選択の自由度が高くなる。
【００３８】
また、本実施例によれば、電気絶縁層４２はフレキシブル基板で構成されているから、この電気絶縁層４２を曲げることで、当該電気絶縁層４２に搭載される制御部４８を自由な位置に配置することができる。
【００３９】
また、本実施例によれば、前記制御部４８が、調理器本体３の開口部３ａ内の前部に前記トッププレート１６に対して略垂直状態に設けられるから、制御部４８を誘導加熱コイル８、９から離間した位置に制御部４８を設けることができる。また、誘導加熱コイル８、９と制御部４８との間にスペースを形成でき、このスペースに表示器群１２Ａなどの他の部品を有効に配設することができる。
【００４０】
又、本実施例によれば、トッププレート１６の裏面に非導電性層（スパッタからなる半透明層１６Ａ）を形成し、この半透明層１６Ａの裏面に第１の導電体２８ａ〜４１ａを設けたから、半透明層１６Ａ下方に上記第１の導電体２８ａ〜４１ａを設けても、静電容量式の操作部２８〜４１を構成することができる。つまり、導電性のスパッタから導電性層を形成すると、その下方には静電容量式の操作部は構成できないが、本実施例ではそのようなことはない。
【００４１】
本発明は上記実施例に限定されず、次のように実施しても良い。
第１の導電体と電気絶縁層とをトッププレートの下面に一体に設け、第２の導電体をこの第１の導電体に対向して配置する構成としても良い。このようにすると、第２の導電体と電気絶縁層とを一体にしたフレキシブル基板などの部材を使用する必要がない構成により所期の目的を達成できる。
【００４２】
第１の導電体と、電気絶縁層と、第２の導電体とを一体化して操作部を構成するようにしても良い。このようにすると、第１の導電体と、電気絶縁層と、第２の導電体を別々に組み付ける場合に比して、これらの一体物の操作部により静電容量が変化することを極力防止でき、検知精度の向上を図ることができ、また、第１の導電体をトッププレート下面に形成する必要がないので、構成の簡単化及びコストの低廉化に寄与できる。
【００４３】
又、本発明の第２の実施例として示す図７のように導光部材４６とフレキシブル基板４３との間に保持板５１を設けてフレキシブル基板４３を保持する構成としても良い。この場合、保持板５１には前記光透過部４４に対応して光透過孔部５１ａを形成すると良い。この場合、前記導光部材４６には、前記操作部２８〜４１と対向する面にプリズムシート５２を設け、このプリズムシート５２に前記光拡散板４６ａを設ける構成としている。このプリズムシート５２は、導光部材４６の光を上方（操作部２８〜４１方向）に変換する作用を有し、光方向変換を良好に行うことができる。このプリズムシート５２は第１の実施例構成に追加するようにしても良い。
【００４４】
その他、操作部は抜き孔による透光性を備えるものでなく、操作部全体が透光性（光透過材料）を有するものでも良い。また、入力案内用表示部２０ＡＨ〜２７ＡＨは無くても良い。すなわち、第１の導電体２８ａ〜４１ａの抜き孔２８ａｄ〜４１ａｄが、最終的な文字や図形を表示するように形成すれば、表示手段として有効であり、従って、上述の入力案内用表示部２０ＡＨ〜２７ＡＨは無くても良い。この場合、当該表示部を窓状にしたり、あるいは当該表示部を塗装膜１６Ｂごとなくしてもよい。
【００４５】
又、上記実施例では、ＬＥＤ４７が点灯されているときにのみ光表示できるようにしているが、消灯時に入力案内用表示部２０ＡＨ〜２７ＡＨが半透明層１６Ａを通して目視できる可能性もあり、このような場合には、トッププレート１６を半透明材料で構成したり、光透過可能な黒色に着色したり、あるいは塗装膜１６Ｂを暗色にしたりするようにすると、消灯時において、ユーザーが目視できない状態（ブラックアウト状態）をさらに確実に実現できるようになる。
【００４６】
この場合、前記光拡散板４６ａは、トッププレート１６を通過した可視光を吸収する機能を設けても良い。このようにすると、外部からトッププレート１６及び半透明層１６Ａ並びに塗装膜１６Ｂの入力案内用表示部２０ＡＨ〜２７ＡＨを通した可視光を該光拡散板４６ａで吸収できて、内部が視認しにくくすることができる。
【００４７】
前記半透明層を形成するスパッタや、印刷の方法は、次の公知技術等の種々の方法に基づいて実施すればよい。例えば、特開2007-227402号、特開2004-247186号、特開2008-267633号、特開2008-239405号、特開2008-226608号、特開2008-14552号、特開2003-86337号、特開平10-284238号、特開2008-267633号、特開2008-179537号、特開2006-177628号、特開2006-125645号、特開2005-90906号、特開2005-55005号、特開2004-342609号、特開2004-333102号、特開2004-225950号、特開2004-211910号、特開2004-193050号。
【図面の簡単な説明】
【００４８】
【図１】本発明の第１の実施例を示し、図４のＺ−Ｚ線断面図
【図２】加熱調理器をキッチンキャビネットに組み込んで示す斜視図
【図３】トッププレートを省略して示す平面図
【図４】操作部部分の平面図
【図５】第１の導電体を示す平面図
【図６】第２の導電体を示す平面図
【図７】本発明の第２の実施例を示す図１相当図
【図８】従来例を示す図１相当図
【符号の説明】
【００４９】
図面中、１はキッチンキャビネット、２は加熱調理器、３は調理器本体、４は開口、８、９は誘導加熱コイル（加熱手段）、１０はヒータ（加熱手段）、１６はトッププレート、２０ＡＨ〜２７ＡＨは入力案内用表示部、２８〜４１は操作部、２８ａ〜４１ａは第１の導電体、２８ｂ〜４１ｂは第２の導電体、４２は電気絶縁層、４３はフレキシブル基板、４４は光透過部、４６は導光部材（導光部）、４５は発光体、４７はＬＥＤ（光源）、４８は制御部を示す。
【図１】
2010121820.tif 000003
【図２】
2010121820.tif 000004
【図３】
2010121820.tif 000005
【図４】
2010121820.tif 000006
【図５】
2010121820.tif 000007
【図６】
2010121820.tif 000008
【図７】
2010121820.tif 000009
【図８】
2010121820.tif 000010